(57)【特許請求の範囲】
【請求項１】
表面部と、対向配置された裏面部と、それを連接する左右にマチ部及び下に底部を備えた本体と、裏面部から上方に延設された蓋部を持つ書類等を収納するマチ付き紙袋において、本体表面部もしくは、本体表面部と一体となったマチ部から上方に延設された部分を折り返し、折り返し部を作り、表面部との間に空間を設け、差し込み空間を作り、蓋部をふたつ折りにし新たな先端部を作り、その先端部をフック機能を持たす形に折り返し、蓋差し込み部を作ることにより、蓋部は開口部を閉じるために本体表面部の内側に入れ、表面部と折り返し部の間の空間に、フックを掛ける形に蓋差し込み部を差し込むことにより、表面部と蓋部が掛かり止めされ、抜き差しが自在になり脱着が容易になることで、フック機能により開口部を閉じて保持するマチ付き紙袋。
【請求項２】
請求項１のマチ付き紙袋において、表面部と折り返し部の間の空間に、折り返し部から下方に延設された階段状に折られた、段差を持った複数の空間を設けることにより、マチ付き紙袋の開口部を閉じるために、蓋差し込み部をフックを掛ける形に差し込むときに、複数の段差を持った差し込み空間を持つことになるので、収納体の大きさや厚さによってフックを掛ける位置が選択できるので、より確実に表面部と蓋部が掛かり止めされることにより開口部を閉じて保持するマチ付き紙袋。
【発明の詳細な説明】
【０００１】
【発明の属する技術分野】
本発明は、マチ付き紙袋の開口部を閉じて保持するための技術。
【０００２】
【従来の技術】
従来この種の製品は、本体表面に、上から蓋をかぶせる形で、開口部を閉じる構造をとっているので、蓋を閉じて保持するために、本体表面と蓋に、留め具のための部品を後ずけされるので、部品点数および製作コストの増加が避けられない。
【０００３】
また、開口部が閉じられて保持されているときは、本体表面の上に蓋がかぶさり、蓋が表面に露出されるので、簡単なことで蓋が破損する可能性がある。
【０００４】
そして、留め具のための部品に、本体と違う材質の部品を使用するために、廃棄処理するときや、リサイクルに廻すときなどに、本体と留め具を分別処理する必要があっった。
このとき、留め具のための部品の多くは、分別処理が必要な化学製品のことが多い。
このように、現在の環境問題においても、留め具のための部品を使用する製品は課題が残る。
【０００５】
【発明が解決しようとする課題】
本発明が解決しようとする課題は、従来のこれらの欠点を解消し、留め具のための部品を使用しないで、蓋を本体表面の内側に差し込むことによりフック機能によって本体と蓋を保持し、開口部を閉じるマチ付き紙袋を提供する。
【０００６】
【課題を解決するための手段】
前記目的を達成するため、本発明は表面部と、対向配置された裏面部と、それを連接する左右にマチ部及び下に底部を備えた本体と、裏面部から上方に延設された蓋部を持つ書類等を収納するマチ付き紙袋において、本体表面部もしくは、本体表面部と一体となったマチ部から上方に延設された部分を内側に折り返し、折り返し部を作り、表面部との間に空間を設け、差し込み空間を作り、蓋部をふたつ折りにし新たな先端部を作り、その先端部をフック機能を持たす形に折り返し、蓋差し込み部を作ることにより、蓋部は開口部を閉じるために本体表面部の内側に入れ、表面部と折り返し部の間の空間に、フックを掛ける形に蓋差し込み部を差し込むことにより、表面部と蓋部が掛かり止めされ、抜き差しが自在になり脱着が容易になることで、フック機能によるマチ付き紙袋の開口部を閉じて保持する構造になるという構成を取っている。
【０００７】
そして、表面部と折り返し部の間の空間に、折り返し部から下方に延設された階段状に折られた複数の段差を持った差し込み空間を作ることにより、収納体のサイズによってフックを掛ける位置が選択できるので、より確実に開口部を閉じて保持することができる。
この構成によれば蓋部を本体の内側に収容することが出き、蓋部の破損を防ぐことが出きる。
これにより、留め具のための部品を使用しないで、フック機能により本体と蓋を保持し、開口部を閉じるマチ付き紙袋を提供することが出きる。
【０００８】
【発明の実施の形態】
本発明におけるフック機能による開口部を閉じて保持するという構成は、表面部もしくは、表面部と一体となったマチ部の上方に延設された部分を折り返すことにより、折り返し部を作り、表面部と折り返し部との間に空間を設け、差し込み空間を作る。
このとき、表面部の上方に延設された部分は、空間の確保と補強のために二重もしくは三重に折り返す。
そして、蓋部をふたつ折りにすることにより、新たな先端を作り、その先端部をフックを掛ける形に機能するように折り返すことにより、蓋部は強固になり、フックを掛けても外れない蓋差し込み部を有することになる。
これにより、空間部に蓋差し込み部をフックを掛けるように差し込むことで、本体表面部と蓋部は掛かり止めされ、外すときにもフックを外す要領で外すことが出きる。
そのため、抜き差しが自在になり脱着が容易になることで、開口部を閉じて保持することが出きる。
【０００９】
そして、表面部と折り返し部の間の空間に、三重に折り返された折り返し部の下方に延設されて、階段状に折られた複数の段差を持った差し込み空間を設けることにより、多段階に蓋差し込み部を差し込むことが可能になるので、フックを掛ける位置が選択出きるので、より確実に開口部を閉じて保持することが出きる。
【００１０】
本発明の袋状となったマチ付き紙袋において、蓋部および開口部の位置は、本体上辺に設け、マチ部は表面部と裏面部の間、底部の上方に設ける。
また、本体の寸法は収納物のサイズよりやや大きいサイズに寸法され、収納空間の厚みは２５〜３５ｍｍ程が実用的である。
フック機能で本体の表面部と蓋部を保持するために、抜き差しが自在で、簡単に脱着が出きるには、蓋の先端の差し込み部の長さは１５〜３０ｍｍ程が良く、差し込み空間の深さは２０〜３５ｍｍ程が良い。
また、階段状に折られた複数の差し込み空間の階段状の段差は１０〜１５ｍｍ程で、深さは１０〜３５ｍｍ程が良い。
これにより、本体開口部は閉じられ保持されることが可能になり、本体と蓋部は脱着が容易な形態になる。
【００１１】
マチ付き紙袋は、形抜き機により、形抜きされた素材により組み立てられる。
この素材は本体表面部と、裏面部、底部、マチ部、蓋部、折り返し部、のりしろ部全てが連設されて形抜きされている。
また、階段状の部分も連設れている。
このため、組み立てられる工程は全てが折り作業で行なわれ、底部および表面部の中央もしくは左右一方にのりしろ部があり、接着剤等により張り合わされて袋状になる。
【００１２】
本体の素材は、使いかっておよび環境面の配慮から紙を想定している。
【００１３】
【実施例】
実施例を図面を参照して説明する。
【００１４】
表面部（１）と、対向配置された裏面部（２）と、それを連接する左右にマチ部（５・５）及び下に底部（１３）を備えた本体と、裏面部（２）から上方に延設された蓋部（３）を持つ書類等を収納するマチ付き紙袋において、本体表面部（１）もしくは、本体表面部（１）と一体となったマチ部（５・５）から上方に延設された部分の全部分、もしくは一部分を折り返し、折り返し部（９・１０・１１・１２）を作り、表面部（１）との間に差し込み空間（８）を設ける。
このとき、表面部（１）の部分は二重もしくは三重に折り返すことにより、折り返し部（９・１０・１１）になり、表面部（１）の内側に差し込み口に必要な、充分な差し込み空間（８）と、マチ折り返し部（１２・１２）とによって強度を確保することが出きる。
蓋部（３）をふたつ折りにし新たな先端を作り、その先端をフック機能を持たす形に折り返し、蓋差し込み部（７）を作る。
このとにより、蓋部（３）は強固になりフックを掛けての抜き差しが、自由になる。
蓋部（３）は開口部（４）を閉じるために本体表面部（１）の内側に入れ、表面部（１）と折り返し部（９・１０・１１）の間の差し込み空間（８）に、フックを掛ける形に蓋差し込み部（７）を差し込むことにより、表面部（１）と蓋部（３）が掛かり止めされ、抜き差しが自在になり脱着が容易になることで、フック機能によるマチ付き紙袋の開口部（４）を閉じて保持することが出きるようになる。
【００１５】
そして、表面部（１）と折り返し部（９・１０・１１）の間の空間（８）に、三重に折り返された折り返し部（９）の下方に延設されて、階段状に折られ段差を持った複数の差し込み空間（１４）を設けることにより、多段階に蓋差し込み部を差し込むことで、フックを掛ける位置が選択出きるので、より確実に開口部（４）を閉じて保持することが出きるようになる。
【００１６】
【発明の効果】
本発明は、以上説明したように構成されているので、以下のような効果が期待できる。
【００１７】
従来のマチ付き紙袋と同じ機能を有しているので、まったく同じに使用することが出きる。
【００１８】
留め具のための部品を使用していないので、製品の耐久性は、本体の素材に依存され、留め具のための部品の破損による使用の停止や、不具合等を防ぐことが出きる。
【００１９】
単一素材、単一部品のため、低コストで製品を提供することが出き、廃棄処分にする時や、リサイクルに廻すときに、分別処理しなくても良く、一度に処分することが出きる。
このため、環境に配慮した製品を提供することが出来る。
【図面の簡単な説明】
【図１】本発明のマチ付き紙袋の斜視図である。
【図２】図１の実施過程の要部断面図である。
【図３】図１の実施過程の要部断面図である。
【図４】図１の実施過程の要部断面図である。
【図５】図１の実施過程の要部断面図である。
【図６】図１の実施過程の要部断面図である。
【図７】請求項２の実施過程の要部断面図である。
【符号の説明】
１  表面部
２  裏面部
３  蓋部
４  開口部
５  マチ部
６  元の蓋先端
７  蓋差し込み部
８  差し込み空間
９  折り返し部
１０  折り返し部
１１  折り返し部
１２  マチ折り返し部
１３  底部
１４  階段状に折られた複数の差し込み空間
【図１】
0003554893.tif 000002
【図２】
0003554893.tif 000003
【図３】
0003554893.tif 000004
【図４】
0003554893.tif 000005
【図５】
0003554893.tif 000006
【図６】
0003554893.tif 000007
【図７】
0003554893.tif 000008